(57)【要約】【課題】  センサーによる照度等を示すセンシング値が変化する場合であっても適切な画像を表示することが可能な画像表示装置等を提供すること。【解決手段】  画像表示装置の一種であるプロジェクター１００が、操作部１２０と、操作部１２０と近接して配置され、第１のセンシング値を生成する外光測定部１１０と、画像の調整を行う調整部１６０と、人感センサー１３０による第２のセンシング値に基づき、操作部１２０が操作されている状態を示す操作状態であるかどうかを判定する判定部１８０を含み、調整部１６０が、前記操作状態でない場合、前記第１のセンシング値に基づく画像の調整を行い、前記操作状態である場合、前記第１のセンシング値に基づく画像の調整を行わない。【選択図】  図２
2011113001.tif 000002
【特許請求の範囲】
【請求項１】
操作部と、
当該操作部と近接して配置され、第１のセンシング値を生成する第１のセンサーと、
画像の調整を行う調整部と、
人感センサーによる第２のセンシング値、前記操作部からの操作情報、前記操作部が操作されたことを示す検出情報のうちの少なくとも１つに基づき、前記操作部が操作されている状態を示す操作状態であるかどうかを判定する判定部と、
を含み、
前記調整部は、前記操作状態でない場合、前記第１のセンシング値に基づく画像の調整を行い、前記操作状態である場合、前記第１のセンシング値に基づく画像の調整を行わない、
画像表示装置。
【請求項２】
請求項１に記載の画像表示装置において、
照度と色調モードとの対応を示す色調モードデータを記憶する記憶部を含み、
前記第１のセンサーは、前記第１のセンシング値として、外光の照度を測定して当該照度を示す測定値を生成し、
前記調整部は、前記操作状態でない場合、前記測定値と、前記色調モードデータとに基づき、適用する前記色調モードを決定して当該色調モードに応じて画像の色および明るさの少なくとも一方を調整し、前記操作状態である場合、前記画像の調整として現在適用中の調整を続行する、
画像表示装置。
【請求項３】
請求項２に記載の画像表示装置において、
前記調整部は、前記操作状態から前記操作状態でない状態に遷移した場合、前記操作状態でない状態に遷移してから所定時間が経過するまで前記画像の調整として現在適用中の調整を続行する、
画像表示装置。
【請求項４】
請求項１〜３のいずれかに記載の画像表示装置において、
前記操作状態でない場合、前記第１のセンサーに前記第１のセンシング値を生成させ、前記操作状態である場合、前記第１のセンサーに前記第１のセンシング値を生成させないように前記第１のセンサーを制御する制御部を含む、
画像表示装置。
【請求項５】
請求項１〜４のいずれかに記載の画像表示装置において、
前記操作部と近接して配置された前記人感センサーを含み、
前記判定部は、前記第２のセンシング値に基づき、前記操作状態であるかどうかを判定する、
画像表示装置。
【請求項６】
請求項１〜４のいずれかに記載の画像表示装置において、
前記操作部は、
画像のフォーカス状態を調整するためのフォーカス調整部、画像のズーム状態を調整するためのズーム調整部、複数の操作ボタンの配置された操作パネル部のうちの少なくとも１つと、
前記フォーカス調整部、前記ズーム調整部、前記複数の操作ボタンのうちの少なくとも１つが操作されたことを検出して前記検出情報を生成する検出情報生成部と、
を含み、
前記判定部は、前記検出情報に基づき、前記操作状態であるかどうかを判定する、
画像表示装置。
【請求項７】
請求項１〜４のいずれかに記載の画像表示装置において、
前記操作部は、
画像のフォーカス状態を調整するためのフォーカス調整部、画像のズーム状態を調整するためのズーム調整部、複数の操作ボタンの配置された操作パネル部のうちの少なくとも１つと、
前記フォーカス調整部、前記ズーム調整部、前記複数の操作ボタンのうちの少なくとも１つの操作内容を示す前記操作情報を生成する操作情報生成部と、
を含み、
前記判定部は、前記操作情報に基づき、前記操作状態であるかどうかを判定する、
画像表示装置。
【請求項８】
操作部と、当該操作部と近接して配置され、第１のセンシング値を生成する第１のセンサーとを含む画像表示装置の有するコンピューターが、
前記第１のセンサーに第１のセンシング値を生成させ、
人感センサーによる第２のセンシング値、前記操作部からの操作情報、前記操作部が操作されたことを示す検出情報のうちの少なくとも１つに基づき、前記操作部が操作されている状態を示す操作状態であるかどうかを判定し、
前記操作状態でない場合、前記第１のセンシング値に基づく画像の調整を行い、前記操作状態である場合、前記第１のセンシング値に基づく画像の調整を行わない、
画像調整方法。
【発明の詳細な説明】
【技術分野】
【０００１】
本発明は、画像表示装置および画像調整方法に関する。
【背景技術】
【０００２】
例えば、特開２００９−２５３３８号公報では、プロジェクターの周囲の明るさを検出し、当該明るさに応じて画像の明るさを調整することが記載されている。より具体的には、当該公報では、明度特定テーブルを用いて周囲の照度に応じて画像の明度を決定する方法と、周囲の照度に応じて演算を行って画像の明度を決定する方法が記載されている。
【先行技術文献】
【特許文献】
【０００３】
【特許文献１】特開２００９−２５３３８号公報
【発明の概要】
【発明が解決しようとする課題】
【０００４】
しかし、このような方法では、周囲の照度の変化に過敏に反応してしまうため、画像の明るさが変動してしまうことが考えられる。例えば、人が照度センサーの前を横切った場合、暗い部屋のドアが開いた場合等に画像の明るさが変動してしまう。また、上記テーブルを用いる手法の場合、照度がテーブルの照度の閾値前後の時、照度測定の度に画像の明るさが変動してしまう。特に、照度センサーと操作ボタン等が隣接して配置されている場合、操作中に照度センサーの測定値が変化してしまうため、画像の明るさが変動しやすい。
【０００５】
また、照度センサー以外のセンサーと操作ボタン等が隣接して配置されている場合も同様の問題が発生する。
【０００６】
本発明にかかるいくつかの態様は、上記課題を解決することにより、センサーによる照度等を示すセンシング値が変化する場合であっても適切な画像を表示することが可能な画像表示装置および画像調整方法を提供するものである。
【課題を解決するための手段】
【０００７】
本発明の態様の１つである画像表示装置は、操作部と、当該操作部と近接して配置され、第１のセンシング値を生成する第１のセンサーと、画像の調整を行う調整部と、人感センサーによる第２のセンシング値、前記操作部からの操作情報、前記操作部が操作されたことを示す検出情報のうちの少なくとも１つに基づき、前記操作部が操作されている状態を示す操作状態であるかどうかを判定する判定部と、を含み、前記調整部は、前記操作状態でない場合、前記第１のセンシング値に基づく画像の調整を行い、前記操作状態である場合、前記第１のセンシング値に基づく画像の調整を行わないことを特徴とする。
【０００８】
また、本発明の態様の１つである画像調整方法は、操作部と、当該操作部と近接して配置され、第１のセンシング値を生成する第１のセンサーとを含む画像表示装置の有するコンピューターが、前記第１のセンサーに第１のセンシング値を生成させ、人感センサーによる第２のセンシング値、前記操作部からの操作情報、前記操作部が操作されたことを示す検出情報のうちの少なくとも１つに基づき、前記操作部が操作されている状態を示す操作状態であるかどうかを判定し、前記操作状態でない場合、前記第１のセンシング値に基づく画像の調整を行い、前記操作状態である場合、前記第１のセンシング値に基づく画像の調整を行わないことを特徴とする。
【０００９】
本発明によれば、画像表示装置は、操作状態であるかどうかに応じて画像の調整を行うことにより、センサーによる照度等を示すセンシング値が変化する場合であっても適切な画像を表示することができる。
【００１０】
また、前記画像表示装置は、照度と色調モードとの対応を示す色調モードデータを記憶する記憶部を含み、前記第１のセンサーは、前記第１のセンシング値として、外光の照度を測定して当該照度を示す測定値を生成し、前記調整部は、前記操作状態でない場合、前記測定値と、前記色調モードデータとに基づき、適用する前記色調モードを決定して当該色調モードに応じて画像の色および明るさの少なくとも一方を調整し、前記操作状態である場合、前記画像の調整として現在適用中の調整を続行してもよい。
【００１１】
これによれば、画像表示装置は、操作状態であるかどうかに応じて画像の色等の調整を行うことにより、センサーによる照度等を示すセンシング値が変化する場合であっても適切な画像を表示することができる。
【００１２】
また、前記調整部は、前記操作状態から前記操作状態でない状態に遷移した場合、前記操作状態でない状態に遷移してから所定時間が経過するまで前記画像の調整として現在適用中の調整を続行してもよい。
【００１３】
これによれば、画像表示装置は、短時間で操作状態と操作状態でない状態が繰り返し切り替わることによって画像の調整内容が頻繁に変化する事態の発生を防止し、より安定した画像を表示することができる。
【００１４】
また、前記画像表示装置は、前記操作状態でない場合、前記第１のセンサーに前記第１のセンシング値を生成させ、前記操作状態である場合、前記第１のセンサーに前記第１のセンシング値を生成させないように前記第１のセンサーを制御する制御部を含んでもよい。
【００１５】
これによれば、画像表示装置は、操作状態に応じて第１のセンシング値を生成させるかどうかを決定できるので、第１のセンシング値として適切な値を取得することができるため、適切な画像を表示することができる。
【００１６】
また、前記画像表示装置は、前記操作部と近接して配置された前記人感センサーを含み、前記判定部は、前記第２のセンシング値に基づき、前記操作状態であるかどうかを判定してもよい。
【００１７】
これによれば、画像表示装置は、人感センサーのセンシング値を用いることにより、操作状態であるかどうかを適切に判定することができる。
【００１８】
また、前記操作部は、画像のフォーカス状態を調整するためのフォーカス調整部、画像のズーム状態を調整するためのズーム調整部、複数の操作ボタンの配置された操作パネル部のうちの少なくとも１つと、前記フォーカス調整部、前記ズーム調整部、前記複数の操作ボタンのうちの少なくとも１つが操作されたことを検出して前記検出情報を生成する検出情報生成部と、を含み、前記判定部は、前記検出情報に基づき、前記操作状態であるかどうかを判定してもよい。
【００１９】
これによれば、画像表示装置は、操作ボタン等が操作されたことを検出することにより、操作状態であるかどうかを適切に判定することができる。
【００２０】
また、前記操作部は、画像のフォーカス状態を調整するためのフォーカス調整部、画像のズーム状態を調整するためのズーム調整部、複数の操作ボタンの配置された操作パネル部のうちの少なくとも１つと、前記フォーカス調整部、前記ズーム調整部、前記複数の操作ボタンのうちの少なくとも１つの操作内容を示す前記操作情報を生成する操作情報生成部と、を含み、前記判定部は、前記操作情報に基づき、前記操作状態であるかどうかを判定してもよい。
【００２１】
これによれば、画像表示装置は、操作ボタン等の操作情報を用いることにより、操作状態であるかどうかを適切に判定することができる。
【図面の簡単な説明】
【００２２】
【図１】第１の実施例におけるプロジェクターの外観図である。
【図２】第１の実施例におけるプロジェクターの機能ブロック図である。
【図３】第１の実施例における画像調整手順を示すフローチャートである。
【図４】第２の実施例におけるプロジェクターの外観図である。
【図５】第２の実施例におけるプロジェクターの機能ブロック図である。
【図６】第２の実施例における画像調整手順を示すフローチャートである。
【図７】第３の実施例におけるプロジェクターの外観図である。
【図８】第３の実施例におけるプロジェクターの機能ブロック図である。
【図９】第３の実施例における画像調整手順を示すフローチャートである。
【図１０】第４の実施例におけるプロジェクターの外観図である。
【図１１】第４の実施例におけるプロジェクターの機能ブロック図である。
【図１２】第４の実施例における画像調整手順を示すフローチャートである。
【発明を実施するための形態】
【００２３】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２４】
（第１の実施例）
図１は、第１の実施例におけるプロジェクター１００の外観図である。画像表示装置の一種であるプロジェクター１００は、携帯型のプロジェクターである。プロジェクター１００の接地面と対向する天面には、複数の操作ボタン１２１、ズーム調整用のズームリング１２２、フォーカス調整用のフォーカスリング１２３等が設けられており、操作ボタン１２１とズームリング１２２の間に外光（例えば、蛍光灯等の照明光、日光等）の照度を測定するための外光測定部１１０が設けられている。
【００２５】
また、プロジェクター１００の天面には、操作ボタン１２１、ズームリング１２２、フォーカスリング１２３と近接（例えば、数ｃｍ以内）して人感センサー１３０が設けられている。プロジェクター１００は、人感センサー１３０によるセンシング値に基づいて操作ボタン１２１等が操作されることによって外光測定部１１０が適切な測定を行えない状態であることを示す操作状態であるかどうかを判定し、操作状態である場合は外光測定部１１０によるセンシング値に基づく画像の調整を行わず、操作状態でない場合は外光測定部１１０によるセンシング値に基づく画像の調整を行う機能を有している。
【００２６】
次に、このような機能を有するプロジェクター１００の機能ブロックについて説明する。図２は、第１の実施例におけるプロジェクター１００の機能ブロック図である。プロジェクター１００は、外光の照度を測定して当該照度を示す第１のセンシング値（測定値）を生成する第１のセンサーの一種である外光測定部１１０と、ユーザーの操作に応じて操作情報等を生成する操作部１２０と、第２のセンシング値を生成する人感センサー１３０と、種々のデータを記憶する記憶部１４０と、操作情報等に応じて当該データを更新する更新部１５２と、ＰＣ（Personal Computer）等の画像供給装置から画像信号が入力される画像入力部１５０と、画像の色および明るさの少なくとも一方の調整を行う調整部１６０と、種々の制御を行う制御部１７０と、種々の判定を行う判定部１８０と、調整後の画像を投写する投写部１９０を含んで構成されている。
【００２７】
また、記憶部１４０は、照度、色調モードおよび当該色調モードごとの色および明るさの調整値を示す色調モードデータ１４２、第１のセンシング値を示すセンシングデータ１４４、フォーカス状態、ズーム状態等を示す設定データ１４６等を記憶している。
【００２８】
また、プロジェクター１００は、以下のハードウェアを用いてこれらの各部として機能してもよい。例えば、プロジェクター１００は、外光測定部１１０は照度センサー等、操作部１２０は操作ボタン１２１、ズームリング１２２、フォーカスリング１２３、リモートコントローラー等、人感センサー１３０は赤外センサー、近接センサー等、更新部１５２、制御部１７０、判定部１８０はＣＰＵ等、記憶部１４０は不揮発性メモリー等、画像入力部１５０は画像信号入力端子、コンバーター等、調整部１６０はＣＰＵ、画像処理回路等、投写部１９０は調光装置、ランプ、液晶パネル、液晶駆動回路、レンズ等を用いてもよい。
【００２９】
次に、プロジェクター１００における画像調整手順について説明する。図３は、第１の実施例における画像調整手順を示すフローチャートである。
【００３０】
判定部１８０は、人感センサー１３０からの第２のセンシング値に基づき、一定時間（例えば、０．５秒等）ごとに人感センサー１３０にユーザーの反応がないかどうかを判定する（ステップＳ１）。例えば、ユーザーが操作ボタン１２１、ズームリング１２２、フォーカスリング１２３のいずれかを操作している場合、ユーザーの手が人感センサー１３０に近付いている状態であるため、第２のセンシング値がユーザーの反応があることを示す数値になる。
【００３１】
判定部１８０は、第２のセンシング値がユーザーの反応がないことを示す数値である場合は操作状態でないと判定し（ステップＳ２）、そうでない場合は操作状態であると判定する（ステップＳ３）。また、この場合、判定部１８０は、操作状態であるかどうかを示すフラグを更新し、フラグの更新時点を記憶してもよい。
【００３２】
操作状態でないと判定した場合、判定部１８０は、操作状態でないと判定してから規定時間（例えば、１〜５秒等）が経過したかどうかを判定する（ステップＳ４）。
【００３３】
操作状態でないと判定されてから規定時間が経過した場合、制御部１７０は、外光測定部１１０を制御して外光の照度を測定させ、更新部１５２は、外光測定部１１０からの第１のセンシング値をセンシングデータ１４４に追加する（ステップＳ５）。
【００３４】
また、この場合、調整部１６０は、色調モードデータ１４２と、センシングデータ１４４に基づき、色調モードを決定する（ステップＳ６）。なお、照度が０以上３０未満の場合の適用色調モードはシアターであり、照度が３０以上１００未満の場合の適用色調モードはリビング１であり、照度が１００以上２００未満の場合の適用色調モードはリビング２であり、照度が２００以上の場合の適用色調モードはダイナミックであってもよい。
【００３５】
一方、操作状態である場合または操作状態でないと判定されてから規定時間が経過していない場合、ステップＳ５、Ｓ６の処理は実行されない。すなわち、操作状態でないと判定されてから規定時間が経過した場合のみ照度のセンシングと照度等に応じた色調モードの決定が行われる。
【００３６】
調整部１６０は、ステップＳ６で決定した色調モードに応じて画像を調整する（ステップＳ７）。より具体的には、例えば、調整部１６０は、色調モードデータ１４２で示される色調モードの調整値に応じて画像の色および明るさの少なくとも一方（例えば、ブライトネス、コントラスト、色合い、色の濃さ、シャープネス、色温度、投写部１９０における調光装置の開口率やランプの明るさ等）を調整し、画像入力部１５０からの画像信号に基づき、画像を生成する。
【００３７】
投写部１９０は、調整部１６０による調整が行われた状態で画像をスクリーン等に投写する（ステップＳ８）。
【００３８】
プロジェクター１００は、操作部１２０からの操作情報に基づき、終了指示があるかどうかを判定し（ステップＳ９）、終了指示がない場合は一連の処理（ステップＳ１〜Ｓ９）を続行し、終了指示がある場合は一連の処理を終了する。
【００３９】
以上のように、本実施例によれば、プロジェクター１００は、操作状態であるかどうかに応じて画像の色等の調整を行うことにより、外光測定部１１０による照度を示すセンシング値が変化する場合であっても適切な画像を表示することができる。
【００４０】
また、本実施例によれば、プロジェクター１００は、短時間で操作状態と操作状態でない状態が繰り返し切り替わることによって画像の調整内容が頻繁に変化する事態の発生を防止し、より安定した画像を表示することができる。
【００４１】
また、本実施例によれば、プロジェクター１００は、操作部１２０と近接して配置された人感センサー１３０のセンシング値に基づいて操作状態であるかどうかを判定することにより、操作状態であるかどうかを適切に判定することができる。
【００４２】
（第２の実施例）
上述した人感センサー１３０は必須ではなく、操作情報に基づいて操作状態であるかどうかが判定されてもよい。
【００４３】
図４は、第２の実施例におけるプロジェクター１０１の外観図である。プロジェクター１０１は、人感センサー１３０を有しておらず、操作情報に基づいて操作状態であるかどうかを判定する機能を有している。
【００４４】
次に、このような機能を有するプロジェクター１０１の機能ブロックについて説明する。図５は、第２の実施例におけるプロジェクター１０１の機能ブロック図である。プロジェクター１０１は、プロジェクター１００と同様の構成であるが、人感センサー１３０を有しておらず、判定部１８１が操作部１２０からの操作情報に基づいて操作状態であるかどうかを判定する点でプロジェクター１００と異なっている。
【００４５】
次に、判定部１８１等を用いた画像調整手順について説明する。図６は、第２の実施例における画像調整手順を示すフローチャートである。
【００４６】
判定部１８１は、操作部１２０からの操作情報（例えば、操作ボタン１２１が押されたという情報、ズームリング１２２が操作されたという情報、フォーカスリング１２３が操作されたという情報等）に基づき、一定時間（例えば、０．５秒等）ごとに操作がないかどうかを判定し（ステップＳ１１）、操作がなかった場合は操作状態でないと判定し（ステップＳ２）、操作があった場合は操作状態であると判定する（ステップＳ３）。ステップＳ４以降の処理は第１の実施例と同様であるため、説明を省略する。
【００４７】
以上のように、プロジェクター１０１は、第１の実施例のプロジェクター１００と同様の作用効果を奏する。
【００４８】
また、本実施例によれば、プロジェクター１０１は、人感センサー１３０を有していないため、より簡易な構成で操作状態に応じた画像の調整を行うことができる。
【００４９】
（第３の実施例）
人感センサーによるセンシング値と操作情報の両方に基づいて操作状態であるかどうかが判定されてもよい。
【００５０】
図７は、第３の実施例におけるプロジェクター１０２の外観図である。また、図８は、第３の実施例におけるプロジェクター１０２の機能ブロック図である。プロジェクター１０２は、プロジェクター１００と同様の構成であるが、ズームリング１２２、フォーカスリング１２３を有しておらず、操作ボタン１２１と外光測定部１１０を結ぶ直線上に人感センサー１３１が配置されている。また、プロジェクター１０２は、判定部１８２が人感センサー１３１によるセンシング値と操作情報の両方に基づいて操作状態であるかどうかが判定する点でプロジェクター１００と異なっている。
【００５１】
次に、判定部１８２等を用いた画像調整手順について説明する。図９は、第３の実施例における画像調整手順を示すフローチャートである。
【００５２】
判定部１８２は、操作部１２０からの操作情報に基づき、ユーザーの操作がないかどうかを判定する（ステップＳ２１）。また、判定部１８２は、人感センサー１３１からの第２のセンシング値に基づき、人感センサー１３１にユーザーの反応があるかどうかを判定する（ステップＳ２２）。
【００５３】
ユーザーの操作がなかった場合またはユーザーの反応がなかった場合は操作状態でないと判定する（ステップＳ２）。一方、ユーザーの操作があり、かつ、ユーザーの反応があった場合（操作部１２０からの操作情報に基づいてユーザーの操作があると判定し、かつ、人感センサー１３１にユーザーの反応があると判定した場合）、判定部１８２は、操作状態であると判定する（ステップＳ３）。ステップＳ４以降の処理は第１の実施例と同様であるため、説明を省略する。
【００５４】
以上のように、プロジェクター１０２は、第１の実施例のプロジェクター１００と同様の作用効果を奏する。
【００５５】
また、本実施例によれば、プロジェクター１０２は、人感センサー１３１によるセンシング値と操作情報の両方に基づいて操作状態であるかどうかが判定することにより、より適切に判定を行うことができる。
【００５６】
例えば、図７において、ユーザーがプロジェクター１０２の背面側から操作ボタン１２１を押した場合、外光測定部１１０は、ユーザーの手で覆われておらず、適切に照度を測定することができる。これに対し、ユーザーがプロジェクター１０２の正面側から操作ボタン１２１を押した場合、外光測定部１１０は、ユーザーの手で覆われ、適切に照度を測定することができない。
【００５７】
本実施例によれば、プロジェクター１０２は、このような各場合に応じて適切な判定を行うことができ、より適切に画像を調整することができる。
【００５８】
（第４の実施例）
センシング値が変化する場合としては、外光測定部１１０がプロジェクター１００〜１０２の天面に設けられている場合に限定されない。例えば、撮像部がプロジェクターの正面に設けられている場合等も同様である。また、ステップＳ４の判定は必須ではなく、第１のセンサーは、操作状態に関わらず、第１のセンシング値を生成してもよい。
【００５９】
図１０は、第４の実施例におけるプロジェクター１０３の外観図である。撮像部１１１がプロジェクター１０３の正面に設けられ、撮像部１１１に近接して人感センサー１３２が設けられている。本実施例では、プロジェクター１０３は、人感センサー１３２のセンシング値に基づいて操作状態であるかどうかを判定する機能を有している。
【００６０】
次に、このような機能を有するプロジェクター１０３の機能ブロックについて説明する。図１１は、第４の実施例におけるプロジェクター１０３の機能ブロック図である。プロジェクター１０３は、プロジェクター１００と同様の構成であるが、外光測定部１１０に代えて第１のセンサーの一種である撮像部１１１を含み、更新部１５２が撮像部１１１からの第１のセンシング値に基づいて記憶部１４１のセンシングデータ１４５を更新し、判定部１８３が人感センサー１３２からの第２のセンシング値に基づいて操作状態であるかどうかを判定し、制御部１７１が撮像部１１１を制御し、色調モードデータ１４２が記憶部１４１に記憶されておらず、調整部１６１がセンシングデータ１４５に基づいて画像の明るさを調整する点でプロジェクター１００と異なっている。なお、撮像部１１１は、例えば、ＣＭＯＳセンサー、ＣＣＤセンサー等であってもよい。
【００６１】
次に、判定部１８３等を用いた画像調整手順について説明する。図１２は、第４の実施例における画像調整手順を示すフローチャートである。
【００６２】
制御部１７１は、一定時間（例えば、０．５秒等）ごとに撮像部１１１にスクリーン等に投写された画像を撮像させ、更新部１５２は、撮像部１１１からの第１のセンシング値に基づき、センシングデータ１４５を更新する（ステップＳ３１）。
【００６３】
判定部１８３は、人感センサー１３０からの第２のセンシング値に基づき、一定時間（例えば、０．５秒等）ごとに人感センサー１３２にユーザーの反応がないかどうかを判定する（ステップＳ３２）。判定部１８３は、第２のセンシング値がユーザーの反応がないことを示す数値である場合は操作状態でないと判定し（ステップＳ３３）、そうでない場合は操作状態であると判定する（ステップＳ３４）。
【００６４】
操作状態でないと判定された場合、調整部１６１は、センシングデータ１４５に基づき、画像の明るさを調整して画像を生成する（ステップＳ３５）。なお、操作状態である場合、調整部１６１は、現在の明るさの調整を続行（明るさの調整度合いを変化させない）する。
【００６５】
投写部１９０は、液晶パネル等に生成された画像を投写する（ステップＳ３６）。プロジェクター１０３は、操作部１２０からの操作情報に基づき、終了指示があるかどうかを判定し（ステップＳ３６）、終了指示がない場合は一連の処理（ステップＳ３１〜Ｓ３６）を続行し、終了指示がある場合は一連の処理を終了する。
【００６６】
以上のように、プロジェクター１０３は、第１の実施例のプロジェクター１００と同様の作用効果を奏する。また、本実施例によれば、プロジェクター１０３は、撮像部１１１がユーザーの手等によって覆われている状態では画像の明るさを調整しないことにより、画像の明るさが急激に変化する事態の発生を防止できるため、適切に画像を調整することができる。
【００６７】
（その他の実施例）
なお、本発明の適用は上述した実施例に限定されず、種々の変形が可能である。例えば、操作部１２０は、操作ボタン１２１、ズームリング１２２、フォーカスリング１２３のいずれかが操作されたことを検出して検出情報を生成する検出情報生成部を含み、判定部１８０〜１８３は、検出情報に基づき、操作状態であるかどうかを判定してもよい。
【００６８】
また、上述したステップＳ４の判定における規定時間は、一旦操作状態であると判定されてから操作状態でないと判定されるまでの時間であってもよい。例えば、上述したように、判定部１８０は、操作状態であるかどうかを示すフラグを更新し、フラグの更新時点を記憶することにより、上記規定時間を適切に判定することができる。
【００６９】
また、調整部１６０、１６１による画像の調整は、画像の色や明るさの調整に限定されず、例えば、画像の台形歪み補正等であってもよい。また、操作状態でない場合に第１のセンシング値に基づく画像の調整を行うかどうかをユーザーに設定させてもよい。
【００７０】
また、プロジェクター１００〜１０３の有するコンピューターは、情報記憶媒体に記憶されたプログラムを読み取って判定部１８０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００７１】
また、プロジェクター１００〜１０３は、液晶プロジェクター（透過型、ＬＣＯＳ等の反射型）に限定されず、例えば、デジタルマイクロミラーデバイスを用いたプロジェクター等であってもよい。また、プロジェクター１００〜１０３の機能を複数の装置（例えば、ＰＣとプロジェクター等）に分散してもよい。
【００７２】
また、画像表示装置は、プロジェクター１００〜１０３に限定されず、例えば、テレビ、デジタルカメラ、デジタルビデオカメラ、携帯電話、携帯型ゲーム装置、液晶ディスプレイ等であってもよい。
【符号の説明】
【００７３】
１００〜１０３  プロジェクター（画像表示装置）、１１０  外光測定部（第１のセンサー）、１１１  撮像部（第１のセンサー）、１２０  操作部、１２１  操作ボタン、１２２  ズームリング、１２３  フォーカスリング、１３０〜１３２  人感センサー、１４０、１４１  記憶部、１４２  色調モードデータ、１４４、１４５  センシングデータ、１４６  設定データ、１５０  画像入力部、１５２  更新部、１６０、１６１  調整部、１７０、１７１  制御部、１８０〜１８３  判定部、１９０  投写部
【図１】
2011113001.tif 000003
【図２】
2011113001.tif 000004
【図３】
2011113001.tif 000005
【図４】
2011113001.tif 000006
【図５】
2011113001.tif 000007
【図６】
2011113001.tif 000008
【図７】
2011113001.tif 000009
【図８】
2011113001.tif 000010
【図９】
2011113001.tif 000011
【図１０】
2011113001.tif 000012
【図１１】
2011113001.tif 000013
【図１２】
2011113001.tif 000014